(57)【要約】      （修正有）【課題】ボルトやナットなどの突起物の塗装を簡易に行え、構造が簡単で低コストの工具を提供する。【解決手段】突起物の塗装工具１は、電動ドリルドライバなどと脱着可能に連結する連結部１０と、この連結部１０に連設され連結部１０と一体となって回転する環状のねじりブラシ部２０とを備えている。ねじりブラシ部２０は、２本の芯線２１の間にブラシ毛材２２を挟み、ねじり上げてブラシ毛材２２を固定している。この環状のねじりブラシ部２０に塗料を含ませ、突起物に被せて回転させると、突起物の側面を一度に塗装することができる。【選択図】図１
2011218242.tif 000002
【特許請求の範囲】
【請求項１】
電動ドリルドライバなどのように回転駆動する機械の駆動軸と脱着可能に連結する連結部と、
この連結部に連設され、連結部と一体となって回転する環状のねじりブラシ部と、
を備えたことを特徴とする突起物の塗装工具。
【請求項２】
請求項１において、
前記ねじりブラシ部のブラシ毛材のうち、所定の部分をカットしていることを特徴とする突起物の塗装工具。
【発明の詳細な説明】
【技術分野】
【０００１】
本発明は、ボルトやナットなどの突起物を塗装するための工具に関するものである。
【背景技術】
【０００２】
工場の屋根や橋梁などにはボルトやナットが突出している。従来、これらを塗装するには手刷毛を用いて行わなければならず、多くの労力が必要であった。
【０００３】
このため、突起物の塗装を簡易に行えるよう、特許文献１記載の刷毛器具が提案されている。この器具は、電動ドリルドライバなどの回転操作体に取り付けられる回転軸と、取付け部材を介し回転軸と一体となって回転する２本の刷毛本体とを有し、２本の刷毛本体の毛先面は、回転軸の軸線を中心にして１８０°回転対称の関係に位置し、毛先面が互いに向き合うように回転軸の軸線に対して傾斜しているものである。そして、これにより連続して突起物を塗装することが可能となっている。
【０００４】
しかし、特許文献１記載の刷毛器具では、部品点数が多いため、コストが高くなるという問題があった。
【０００５】
また、特許文献２には、円筒形手回し塗装用具が提案されている。この用具は、前方が開口し、後方が空気穴のみを有して閉じた円筒形容器と、円筒形容器の後方に位置し、円筒形容器内に空気を送り込むゴムキャップと、容器の前方内部側面に取り付けられたブラシ毛材と、ブラシ毛材の後方に配設されたスポンジと、スポンジの後方に設けられた塗料溜とを備えたものである。そして、これにより一回の作業で突起物を塗装することが可能となっている。
【０００６】
しかし、特許文献２の円筒形手回し塗装用具は、何より用具自体を手で回転させなければならないため、作業者の疲労の原因となっていた。また、内部構造が複雑なため、用具を洗う際に手間がかかるという問題があった。
【先行技術文献】
【特許文献】
【０００７】
【特許文献１】特開２００１−４６１５０号公報
【特許文献２】特開２００６−１０２７２５号公報
【発明の概要】
【発明が解決しようとする課題】
【０００８】
本発明は、このような事情に鑑みてなされたものであり、ボルトやナットなどの突起物の塗装を簡易に行え、構造が簡単で低コストの工具を提供することを目的としている。
【課題を解決するための手段】
【０００９】
上記課題を解決するために、請求項１に係る発明では、
電動ドリルドライバなどのように回転駆動する機械の駆動軸と脱着可能に連結する連結部と、この連結部に連設され、連結部と一体となって回転する環状のねじりブラシ部と、を備えている。なお、ねじりブラシとは、２本の芯線の間にブラシ毛材を挟み、ねじり上げてブラシ毛材を固定したものである。
【００１０】
請求項２に係る発明では、
ねじりブラシ部のブラシ毛材のうち、所定の部分をカットしている。
【発明の効果】
【００１１】
請求項１の発明によれば、環状のねじりブラシ部に塗料を含ませ、ナットやボルトなどの突起物にこれを被せて回転させると、突起物の側面を一度に塗装することができる。なお、ねじりブラシの性質上、ブラシ毛材は螺旋状に配設されるため、塗装時の摩擦抵抗を抑えることができる。  
【００１２】
請求項２の発明によれば、所定の部分のブラシ毛材をカットしているため、ねじりブラシ部を回転させたときに塗料が飛び散ることを抑えることができる。また、ねじりブラシ部に塗料が付きすぎないようにし、塗装品質を上げることができる。
【図面の簡単な説明】
【００１３】
【図１】実施例１の斜視図である。
【図２】使用時の側面図である。
【図３】連結部とねじりブラシ部を連設する方法の一例を示した図である。
【図４】連結部とねじりブラシ部を連設する方法の一例を示した図である。
【図５】実施例２の斜視図である。
【発明を実施するための形態】
【００１４】
以下、本発明である突起物の塗装工具を具体化した実施例について図面を参照しつつ説明する。
【実施例１】
【００１５】
まず、実施例１の突起物の塗装工具１の構成について、主に図１を参照して説明する。突起物の塗装工具１は連結部１０、ねじりブラシ部２０、連設部３０で構成される。
【００１６】
連結部１０は、図２に示すように電動ドリルドライバ１００に脱着可能に連結される。
【００１７】
ねじりブラシ部２０は、２本の芯線２１の間にブラシ毛材２２を挟み、ねじり上げてブラシ毛材２２を固定するとともに、留め具４０によって全体が環状に閉じている。そして、連結部１０と中心軸が同軸となるように連設部３０を介して連結部１０に連設されている。本実施例では、芯線２１の材料はステンレスであり、ブラシ毛材２２の材料は樹脂であるが、材料はこれに限られるものではない。
【００１８】
連設部３０は、ねじりブラシ部２０の芯線２１を延長し、それを図３に示すように折り曲げて形成されている。これにより、部品点数を減らしコストを抑えることに貢献している。なお、本実施例では、連設部３０は片持ちになっているが、図４のようにしてもよく、連設部の全部または一部をねじりブラシ部２０の芯線２１とは別部材としてもよい。
【００１９】
つぎに、突起物の塗装工具１の使用方法を、工場の屋根に上向きに突出するナットとボルトねじを塗装する場合を具体例として説明する。
【００２０】
前提として、突起物の塗装工具１は、ナットとボルトねじのサイズに合ったものを使用する。ねじりブラシ部２０に塗料を含ませ、ナットとボルトねじに上から被せて電動ドリルドリルを回転させる。そうすると、ねじりブラシ部２０のブラシ毛材２２がナットおよびボルトネジの側面に接しながら回転する。これをそのまましばらく保持するとナットおよびボルトネジを塗装することができる。
【実施例２】
【００２１】
つぎに、実施例２の突起物の塗装工具２の構成について、主に図５を参照して説明する。なお、実施例１の突起物の塗装工具１と同様の構成については、突起物の塗装工具１と同一の符号を付し、説明を省略する。
【００２２】
突起物の塗装工具２は連結部１０、ねじりブラシ部２５、連設部３０で構成される。
【００２３】
ねじりブラシ部２５は、２本の芯線２１の間にブラシ毛材２６を挟み、ねじり上げてブラシ毛材２６を固定するとともに、留め具４０によって全体が環状に閉じている。
【００２４】
突起物の塗装工具２のブラシ毛材２６は、塗装に影響しない部分、すなわち、ねじりブラシ部２５を軸線方向から見たときに、環状の芯線２１の外側部分がカットされている。これにより、回転時に塗料の飛散を抑えることができる。また、ブラシ毛材２６の全体の量が減ることによって、ねじりブラシ部を洗浄する際に洗浄液を少なくすることができる。
【００２５】
また、突起物の塗装工具２のブラシ毛材２６は、塗装に影響する部分、すなわち、ねじりブラシ部２５を軸線方向から見たときに、環状の芯線２１の内側部分が間引きされるようカットされている。これにより、塗料が付きすぎないようにし塗装品質を上げることができる。
【００２６】
突起物の塗装工具２の使用方法は、突起物の塗装工具１の使用方法と同じである。
【符号の説明】
【００２７】
１：突起物の塗装工具１（実施例１）、    ２：突起物の塗装工具２（実施例２）
１０：連結部、
２０：ねじりブラシ部、    ２１：芯線、    ２２：ブラシ毛材
２５：ねじりブラシ部、    ２６：ブラシ毛材
３０：連設部、    ４０：留め具、    １００：電動ドリルドライバ
【図１】
2011218242.tif 000003
【図２】
2011218242.tif 000004
【図３】
2011218242.tif 000005
【図４】
2011218242.tif 000006
【図５】
2011218242.tif 000007